(57)【特許請求の範囲】
【請求項１】
フォルダーの背または紙留め用台座または表裏厚表紙のいずれかからフォルダー内方に向かって立設された一対の突出片と、フォルダーの紙留め用台座または表裏厚表紙のいずれからフォルダー内方に向かって立設された筆記具が転がり出るのを防止する突起とを有し、
前記突出片と前記突起は、フォルダーが閉じられたときに、上下端部が前記突出片によって閉鎖され、側面が前記突起とフォルダーの背と表裏厚表紙の一部とによって閉鎖された空間を形成することを特徴とする筆記具保持構造を有するフォルダー。
【発明の詳細な説明】
【０００１】
【発明の属する技術分野】
本発明は、筆記具を保持する構造を有するフォルダー及びその筆記具保持構造体、着脱可能な筆記具保持具に関する。
【０００２】
【従来の技術】
従来から紙留め具によって複数の紙片を着脱自在に保持することができるようにしたフォルダーは広く使用されている。
【０００３】
図１０に一般的な２穴の紙フォルダーを示してその構造を説明する。
【０００４】
図１０に示すように、２穴の紙フォルダー１は、表厚表紙２と、背３と、裏厚表紙４とを有している。背３と裏厚表紙４との間には紙留め用の台座５が設けられている。表厚表紙２と背３と裏厚表紙４と紙留め用台座５は、同一の紙を折って形成されている。表厚表紙２と背３の接続部は、表厚表紙２を開閉するためのヒンジ６になっている。背３と裏厚表紙４の接続部（背３と紙留め用台座５の接続部ということもできる）も回動可能なヒンジ７になっている。
【０００５】
紙留め用台座５には、図示しない２つの穴が穿たれている。この２つの穴からは可撓性の弾性条片８，９がそれぞれの基端が紙留め用台座５の穴に係止する状態で延出している。一方、紙を綴じて留めるための押さえ板１０が備えられている。押さえ板１０は、紙留め用台座５の２穴に整合する２つの穴が設けられている。また、押さえ板１０にはその上面にスライダー１１，１２が備えられている。スライダー１１，１２は、押さえ板１０の両側縁部に設けられた溝に係合し、前記溝に案内されて押さえ板１０の長手方向に摺動する。スライダー１１，１２の押さえ板１０に面する一部には、窪みが形成されている。
【０００６】
押さえ板１０の２穴に弾性条片８，９が通され、スライダー１１，１２をスライドさせて弾性条片８，９をその弾力に抗して折るようにして係合させると、弾性条片８，９とスライダー１１，１２の窪みが係合し、弾性条片８，９に設けられた溝や摩擦抵抗で弾性条片８，９と押さえ板１０を固定することができる。
【０００７】
紙を留める場合、紙にも紙留め用台座５および押さえ板１０の２穴に整合する２つの穴を穿つ。次に、押さえ板１０を取り外し、弾性条片８，９を紙の２穴に通し、さらに押さえ板１０の２穴に通し、押さえ板１０を押さえつけてスライダー１１，１２をスライドさせて弾性条片８，９を固定する。これにより、紙は紙留め用台座５と押さえ板１０の間に圧縮を受けた状態で固定され、保持される。
【０００８】
紙留め用台座５と弾性条片８，９と押さえ板１０は全体として紙留め具を構成する。
【０００９】
かかる構成の紙フォルダー１は筆記具を保持する構造を有していない。
【００１０】
ところで、一部の手帳には筆記具を保持できる構造を有している。
【００１１】
たとえば、小型の手帳には、手帳の背と紙の間に予め空間を設け、その空間に特製の細い鉛筆を挿入することができるものがあった。
【００１２】
また、たとえば一部のシステム手帳には、システム手帳の小口の部分に筆記具を保持するための環状の条片を設けているものがあった。
【００１３】
【特許文献１】
特開２００１−１８０１５０号公報  （図１、図２）
【００１４】
【発明が解決しようとする課題】
フォルダーを使用する時は、筆記具を使用する必要があることが多い。
【００１５】
しかし、従来のフォルダーは、筆記具を保持する構造を有していなかった。このため、従来は筆記具のクリップをフォルダーの表厚表紙あるいは裏厚表紙の縁に掛けるようにすることが多かった。
【００１６】
その場合、表厚表紙あるいは裏厚表紙の縁に掛けた筆記具のキャップから筆記具の本体が脱落することが多かった。
【００１７】
また、表厚表紙あるいは裏厚表紙の内側に筆記具を保持するようにした場合、表厚表紙あるいは裏厚表紙が筆記具のために膨らんで隆起し、不都合であった。
【００１８】
一方、システム手帳の場合、確かに小口部分に設けられた環状の条片に筆記具を挿着すれば、システム手帳の厚表紙が膨らんで隆起することがない。しかし、小口部分に筆記具を保持するのはいかにも空間利用効率が悪く、せっかくシステム手帳の紙片が細い幅に形成されているのにも拘わらず、筆記具を保持するためのスペースをとるために全体として幅が広いものになっていた。
【００１９】
一方、小型の手帳の場合、手帳の背に筆記具を収納するため、空間利用効率は高いが、特製の筆記具しか保持することができなかった。
【００２０】
そこで、本発明が解決しようとする課題は、一般的な構造のフォルダーにおいて、汎用の筆記具を空間利用効率よく収納でき、かつ、筆記具の本体がキャップから脱落することを防止することができる筆記具保持構造を有するフォルダー及びフォルダー用筆記具保持構造体、フォルダー用筆記具保持具を提供することにある。
【００３０】
【課題を解決するための手段】
本願発明に係る筆記具保持構造を有するフォルダーは、
フォルダーの背または紙留め用台座または表裏厚表紙のいずれかからフォルダー内方に向かって立設された一対の突出片と、フォルダーの紙留め用台座または表裏厚表紙のいずれからフォルダー内方に向かって立設された筆記具が転がり出るのを防止する突起とを有し、前記突出片と前記突起は、フォルダーが閉じられたときに、上下端部が前記突出片によって閉鎖され、側面が前記突起とフォルダーの背と表裏厚表紙の一部とによって閉鎖された空間を形成することを特徴とするものである。
【００３１】
本発明によれば、フォルダーを閉じたときに、フォルダーの背と表裏両厚表紙と筆記具の転がりを防止する突起の間に形成される空間は、突出片によって上下端部が閉鎖され、内部に筆記具を収納保持することができる空間が形成され、そこに筆記具を入れることができる。
本発明によれば、フォルダーの背の内側の空間内に筆記具を保持することができ、空間の利用効率が高い上、筆記具の脱落を防止することができる。
【００３２】
【発明の実施の形態】
次に、本発明による「筆記具保持構造を有するフォルダー及びフォルダー用筆記具保持具」の実施形態について以下に説明する。なお、理解を容易にするために以下の説明においては、図１０に示したフォルダーと同一の部分については図１０と同一の符号を用いて示し、必要がない場合は説明を省略する。
【００３３】
図１は、本発明の第一の実施形態によるフォルダーを示している。
【００３４】
図１に示すように、本実施形態による筆記具保持構造を有するフォルダー２０は、表厚表紙２と背３と裏厚表紙４とを有している。背３と裏厚表紙４の間には紙留め用台座５が設けられている。表厚表紙２と背３と裏厚表紙４と紙留め用台座５は同一の紙を折って形成されている。表厚表紙２と背３の接続部は、表厚表紙２を開閉するためのヒンジ６になっている。背３と裏厚表紙４の接続部（背３と紙留め用台座５の接続部ということもできる）も回動可能なヒンジ７になっている。
【００３５】
フォルダー２０は、紙留め用台座５と弾性条片８，９と押さえ板１０とからなる紙留め具を有している。
【００３６】
図１の状態は、２つの穴を開けた複数の紙１３に弾性条片８，９を通し、さらに弾性条片８，９を押さえ板１０の２つの穴に通し、押さえ板１０を押さえつけてスライダー１１，１２をスライドさせて弾性条片８，９を固定し、これによって紙１３を紙留め用台座５と押さえ板１０の間に固定、保持した状態を示している。
【００３７】
本実施形態のフォルダー２０は、筆記具挿通部２１と筆記具受け部２２とを有している。
【００３８】
筆記具挿通部２１は、フォルダー２０の背３と表厚表紙２のヒンジ６の部分に切り込みを入れてフォルダー２０の内側に折り込んで形成されたものである。筆記具挿通部２１は、一端部２３をフォルダーの背３に回動可能に接続し、他端部２４をフォルダーの表厚表紙２に回動可能に接続し、フォルダー２０を閉じたときにフォルダーの背３と表裏両厚表紙２，４と紙留め具（紙１３と押さえ板１０等）の間に形成される空間に峰部２５がほぼ等しい高さで突出している。
【００３９】
ここで、「フォルダーを閉じたときにフォルダーの背と表裏両厚表紙と紙留め具の間に形成される空間」の概念について図２を用いて説明する。
【００４０】
図２は、図１のフォルダーを閉じて筆記具挿通部２１の部分を下方から見たところを示している。
【００４１】
図２に示すように、フォルダー２０を閉じると、表厚表紙２と背３と裏厚表紙４が断面コの字状になって、一方向（小口方向）が開放された内部空間を形成する。一方、上記開放された方向の所定位置、すなわち背３と対向する位置に、紙留め用台座５と弾性条片８，９と押さえ板１０（紙留め具）があり、それらはある程度の高さを有し、表厚表紙２と背３と裏厚表紙４とともにその間に細長い空間２６を形成する。この空間２６が本明細書にいう「フォルダーを閉じたときにフォルダーの背と表裏両厚表紙と紙留め具の間に形成される空間」に該当する。
【００４２】
図２の例に示すように、紙留め具と紙１３は高さが実際には表厚表紙２に達していないので、表厚表紙２と背３と裏厚表紙４に囲まれた空間の開放された面を完全には囲んでいないが、それでも紙留め具と表厚表紙２と背３と裏厚表紙４によって囲まれた空間を観念することができるので、このような空間を「フォルダーの背と表裏両厚表紙と紙留め具の間に形成される空間」というものとする。同様に、紙１３を挟んでいない場合でも、紙留め具がある程度の高さを有しているので、紙留め具と表厚表紙２と背３と裏厚表紙４によって概略囲まれた空間を「フォルダーの背と表裏両厚表紙と紙留め具の間に形成される空間」というものとする。さらに、図２の例に示すように、空間２６は実際には裏厚表紙４は紙留め用台座５を介して背３と表厚表紙２と紙留め具の間に空間を形成するが、紙留め用台座５を介在する場合と介在しまい場合とを含めて「フォルダーの背と表裏両厚表紙と紙留め具の間に形成される空間」というものとする。
【００４３】
再び図１に戻って、筆記具挿通部２１と筆記具受け部２２の説明を続ける。
【００４４】
筆記具挿通部２１は、空間２６内に峰部２５がほぼ等しい高さで突出している。峰部２５がほぼ等しい高さで突出することにより、図１に示すように筆記具挿通部２１は表厚表紙２と背３との間に筆記具２７を挿通させることができるトンネル状の空間を形成する。また、図１に示すように、筆記具２７のクリップ２７ａを筆記具挿通部２１に掛けることもできる。
【００４５】
筆記具受け部２２は、フォルダー２０の背３と表厚表紙２のヒンジ６の部分に切り込みを入れてフォルダー２０の内側に折り込んで形成されたものである。筆記具受け部２２は、一端部２８をフォルダーの背３に回動可能に接続し、他端部２９をフォルダーの表厚表紙２に回動可能に接続し、フォルダー２０を閉じたときにフォルダーの背３と表裏両厚表紙２，４と紙留め具（紙１３と押さえ板１０等）の間に形成される空間２６に峰部３０が傾斜した高さで突出している。
【００４６】
筆記具受け部２２は、空間２６内に峰部３０が傾斜した高さで突出していることにより、図１に示すように、一端部が先細り形状になっているために、筆記具２７の下端部を受けることができる。なお、図１の例では、先細りになっている筆記具受け部２２の端部は閉じているが、先端は完全に閉じていなくてもよい。
【００４７】
以上の構成のフォルダー２０によれば、フォルダー２０を閉じたときに、筆記具挿通部２１と筆記具受け部２２が空間２６内に突出し、筆記具挿通部２１に筆記具２７を挿通させ、筆記具２７の下端を筆記具受け部２２によって受けることができる。
【００４８】
本実施形態のフォルダー２０によれば、通常はデッドスペースになる紙留め具と背３の間の空間２６に筆記具２７を収納、保持することができ、空間利用効率が高く、筆記具を保持するためにフォルダーをいたずらに大型化させることがない。
【００４９】
また、本実施形態のフォルダー２０によれば、筆記具２７はフォルダー２０の内側に保持され、外部のものに接触することがなく、かつ、筆記具受け部２２によって下端部を受けているので、脱落することがない。
【００５０】
さらに、本実施形態のフォルダー２０によれば、筆記具挿通部２１と筆記具受け部２２は、フォルダー２０のヒンジ６部分に切り込みを入れてフォルダー２０の内側に折り込んで形成しているので、フォルダー２０の切欠部は筆記具２７の有無を確認する窓になっており、この窓を通して筆記具２７の有無を一目で確認することができる。なお、上記窓は開放された状態でもよいが、透明な部材によって覆われている場合には、好ましい美観を得ることができる。また、フォルダー２０のヒンジ６部分に切り込みを入れて筆記具挿通部２１と筆記具受け部２２を形成する場合は、筆記具挿通部２１と筆記具受け部２２をフォルダーと同一部材によって形成でき、経済的なフォルダーを得ることができる。
【００５１】
ここで、第一実施形態の筆記具挿通部２１と筆記具受け部２２は、フォルダーを閉じたときにフォルダーの背と表裏両厚表紙と紙留め具の間に形成される空間内にそれぞれの峰部が突出するようにすればよく、その範囲内で種々の変形があり得る。
【００５２】
図３は、筆記具挿通部２１を背３と裏厚表紙４のヒンジ７の角部に形成した場合を示している。図３に示す例は、ヒンジ７部分に切り込みを入れてフォルダーの内側に折り込んで筆記具挿通部２１を形成している。
【００５３】
図４は、図３と同様に筆記具挿通部２１を背３と裏厚表紙４のヒンジ７の角部に形成した場合を示しているが、ヒンジ７部分に切り込みを入れる代わりに、追加の部材を貼着して筆記具挿通部２１を形成している。
【００５４】
図５は、筆記具受け部２２を背３と裏厚表紙４のヒンジ７の角部に形成した場合を示している。図５に示す例は、ヒンジ７部分に切り込みを入れてフォルダーの内側に折り込んで筆記具受け部２２を形成している。
【００５５】
図６は、図５と同様に筆記具受け部２２を背３と裏厚表紙４のヒンジ７の角部に形成した場合を示しているが、ヒンジ７部分に切り込みを入れる代わりに、追加の部材を貼着して筆記具受け部２２を形成している。
【００５６】
次に本発明の第二実施形態について説明する。
【００５７】
図７は本発明の第二実施形態によるフォルダー用筆記具保持具を示している。
【００５８】
本実施形態のフォルダー用筆記具保持具３１は、フォルダーの紙留め具（押さえ板１０，弾性条片８，９等）に着脱可能であり、ある程度剛性を有する薄い部材からなるのが好ましい。フォルダー用筆記具保持具３１は、前記紙留め具（押さえ板１０，弾性条片８，９等）に留められた状態で、フォルダーの裏厚表紙４に沿って延在する近位部３２とフォルダーの背３に沿って延在する遠位部３３とを有している。近位部３２と遠位部３３は、ヒンジ７に沿って形成された回動するヒンジ３４によって接続されている。
【００５９】
フォルダー用筆記具保持具３１は、筆記具挿通部３５と筆記具受け部３６を有している。
【００６０】
筆記具挿通部３５は、一端部３７を近位部３２に回動可能に接続し、他端部３８を遠位部３３に回動可能に接続し、フォルダーを閉じたときにフォルダーの背３と表裏両厚表紙２，４と紙留め具（紙留め用台座５，弾性条片８，９，押さえ板１０等）の間に形成される空間に峰部３９がほぼ等しい高さで突出するように形成されている。
【００６１】
筆記具受け部３６は、一端部４０を近位部３２に回動可能に接続し、他端部４１を遠位部３３に回動可能に接続し、フォルダーを閉じたときにフォルダーの背３と表裏両厚表紙２，４と紙留め具（紙留め用台座５，弾性条片８，９，押さえ板１０等）の間に形成される空間に峰部４２が傾斜した高さで突出するように形成されている。
【００６２】
本実施形態のフォルダー用筆記具保持具３１によれば、既存の一般的な構造のフォルダーに取り付けて、筆記具保持構造を備えさせることができる。なお、本フォルダー用筆記具保持具３１によれば、本発明の第一実施形態のフォルダー２０と同様に、従来はデッドスペースになっていた背３と紙留め具の間の空間を活用し、その空間内に筆記具を保持することができる。しかも、保持した筆記具は外部のものと接触することなく、筆記具挿通部３５と筆記具受け部３６の協働によって脱落することもない。また、表厚表紙２や裏厚表紙４が筆記具によって膨出することもない。
【００６３】
次に、本発明の第三実施形態について説明する。
【００６４】
図８は本発明の第三実施形態による筆記具保持構造を有するフォルダーを示している。
【００６５】
本実施形態のフォルダー４３は、紙留め具の押さえ板１０に弾発的に筆記具を係合可能な弾性片４４を設けたものである。本実施形態においても、フォルダーを閉じたときにフォルダーの背３と表裏両厚表紙２，４と紙留め具（弾性条片８，９、押さえ板１０等の）の間に形成される空間に筆記具を保持する思想は共通である。弾性片４４は弾発的に筆記具を係合可能である限り、当業者が任意になしえる形状、構造とすることができる。図８に示した例では、弾性片４４の先端を湾曲させ、その湾曲部内に筆記具を保持するようにしたものである。弾性片４４を備えた押さえ板１０を汎用的なものとして既存の一般的な構造のフォルダーに取り付け可能としてもよい。
【００６６】
本実施形態のフォルダー４３によっても、本発明の第一実施形態のフォルダー２０と同様に、従来はデッドスペースになっていた背３と紙留め具の間の空間を活用し、その空間内に筆記具を保持することができる。この場合に表厚表紙２や裏厚表紙４が筆記具の存在によって膨出することもない。しかも、保持した筆記具は外部のものと接触することなく、筆記具の本体を弾性片４４によって保持することにより筆記具が脱落することもない。
【００６７】
次に、本発明の第四実施形態について説明する。
【００６８】
図９は本発明の第四実施形態による筆記具保持構造を有するフォルダーを示している。
【００６９】
本実施形態のフォルダー４５は、フォルダーの背３からフォルダー内方に向かって立設された突出片４６，４７を備えている。突出片４６，４７は、フォルダーを閉じたときにフォルダーの背３と表裏両厚表紙２，４と紙留め具（弾性条片８，９，押さえ板１０等）の間に形成される空間の上端部及び下端部を閉鎖するように形成されている。
【００７０】
さらに、図９に例示したフォルダー４５は、押さえ板１０にほぼ平行に、筆記具が紙留め具（弾性条片８，９，押さえ板１０等）を越えて転がり出るのを防止する突起４８を設けている。さらにまた、図９に例示したフォルダー４５は、突出片４６，４７の先端部両側に係合突起４９を設け、フォルダーを閉じたときにこれに対応する位置に係合受け５０を設けている。
【００７１】
本実施形態のフォルダー４５によれば、フォルダー４５を閉じたときに、突出片４６，４７がフォルダーの背３と表裏両厚表紙２，４と紙留め具あるいは突起４８の間に形成される空間の上端部及び下端部を閉鎖する。
【００７２】
また、フォルダー４５を閉じたときに、係合突起４９を係合受け５０に係合させれば、係合突起４９と係合受け５０の係合により上記閉じられた空間が容易に誤って開放されることを防止することができる。
【００７３】
上記閉じられた空間には筆記具を収納することができる。
【００７４】
本実施形態のフォルダー４５によっても、本発明の第一実施形態のフォルダー２０と同様に、従来はデッドスペースになっていた背３と紙留め具の間の空間を活用し、その空間内に筆記具を保持することができる。この場合に、表厚表紙２や裏厚表紙４が筆記具の存在によって膨出することもない。しかも、フォルダーの背３と表裏両厚表紙２，４と突起４８と突出片４６，４７によって囲まれた空間内に筆記具が収納保持され、外部のものと接触することなく、脱落することがない。
【００７５】
なお、上記実施形態では、突出片４６，４７はフォルダーの背３に立設しているが、突出片４６，４７を紙留め用台座５あるいは両表厚表紙２，４のいずれかに立設してもよい。また、突出片４７のみを設けるようにしてもよい。さらに、必要がない場合には突起４８、係合突起４９、係合受け５０を省略することができる。
【００７６】
【発明の効果】
以上の説明から明らかなように、本発明の筆記具保持構造を有するフォルダー及びフォルダー用筆記具保持具は、従来デッドスペースになっていたフォルダーの背と表裏両厚表紙と紙留め具によって囲まれた空間内に筆記具を保持することにより、筆記具が外部のものと接触して脱落することを防止し、フォルダーの厚表紙が筆記具を挟んで膨出することを防止し、空間利用効率が高いフォルダーを得ることができる。
【００７７】
さらに、本発明の筆記具保持構造を有するフォルダー及びフォルダー用筆記具保持具によれば、筆記具を受ける構造を有していることにより、筆記具が脱落することを防止することができる。
【図面の簡単な説明】
【図１】本発明の第一実施形態による筆記具保持構造を有するフォルダーを示した斜視図。
【図２】本発明の第一実施形態のフォルダーを閉じて筆記具挿通部の部分を下方から見たところを示した横断面図。
【図３】筆記具挿通部の変形例を示した斜視図。
【図４】筆記具挿通部の変形例を示した斜視図。
【図５】筆記具受け部の変形例を示した斜視図。
【図６】筆記具受け部の変形例を示した斜視図。
【図７】本発明の第二実施形態によるフォルダー用筆記具保持具を示した斜視図。
【図８】本発明の第三実施形態による筆記具保持構造を有するフォルダーを示した斜視図。
【図９】本発明の第三実施形態による筆記具保持構造を有するフォルダーを示した斜視図。
【図１０】従来の一般的な構造の２穴の紙フォルダーを示した斜視図。
【符号の説明】
１  紙フォルダー
２  表厚表紙
３  背
４  裏厚表紙
５  紙留め用台座
６  ヒンジ
７  ヒンジ
８  弾性条片
９  弾性条片
１０  押さえ板
１１  スライダー
１２  スライダー
１３  紙
２０  フォルダー
２１  筆記具挿通部
２２  筆記具受け部
２３  筆記具挿通部の一端部
２４  筆記具挿通部の他端部
２５  筆記具挿通部の峰部
２６  空間
２７  筆記具
２７ａ  筆記具２７のクリップ
２８  筆記具受け部の一端部
２９  筆記具受け部の他端部
３０  筆記具受け部の峰部
３１  フォルダー用筆記具保持具
３２  近位部
３３  遠位部
３４  ヒンジ
３５  筆記具挿通部
３６  筆記具受け部
３７  筆記具挿通部の一端部
３８  筆記具挿通部の他端部
３９  筆記具挿通部の峰部
４０  筆記具受け部の一端部
４１  筆記具受け部の他端部
４２  筆記具受け部の峰部
４３  フォルダー
４４  弾性片
４５  フォルダー
４６  突出片
４７  突出片
４８  突起
４９  係合突起
５０  係合受け
【図１】
0003679081.tif 000002
【図２】
0003679081.tif 000003
【図３】
0003679081.tif 000004
【図４】
0003679081.tif 000005
【図５】
0003679081.tif 000006
【図６】
0003679081.tif 000007
【図７】
0003679081.tif 000008
【図８】
0003679081.tif 000009
【図９】
0003679081.tif 000010
【図１０】
0003679081.tif 000011